(57)【要約】      （修正有）【課題】広い周波数帯域の信号を受信することが可能な２周波共用フィードを提供する。【解決手段】２周波共用フィード３は、低い周波数帯域用の導波管１２と、高い周波数帯域用の導波管１３と、低い周波数帯域の２つの円偏波信号の各々の２つの直線偏波成分を受信するプローブ１５，１６と、プローブ１５，１６で受信した２つの円偏波信号を２つの直線偏波信号に変換するハイブリッド回路１７と、高い周波数帯域の２つの円偏波信号を２つの直線偏波信号に変換するセプタムポーラライザ１８と、２つの直線偏波信号を受信するプローブ１９，２０とを備える。したがって、低い周波数帯域用の導波管１３内で円偏波変換を行なわないので、広い周波数帯域の信号を受信できる。【選択図】図２
2010021864.tif 000002
【特許請求の範囲】
【請求項１】
第１の周波数帯域の互いに直交する第１および第２の円偏波信号と、前記第１の周波数帯域よりも高周波側の第２の周波数帯域の互いに直交する第３および第４の円偏波信号とを受信する２周波共用フィードであって、
その一方側開口部が前記第１〜第４の円偏波信号を受ける第１の導波管と、
その一方側開口部が前記第１の導波管の他方側開口部に結合され、前記第１の導波管よりも細い第２の導波管と、
それらの先端部が前記第１の導波管内に突出され、前記第１および第２の円偏波信号の各々の互いに直交する２つの直線偏波成分を受信する第１および第２のプローブと、
前記第１のプローブの受信信号の位相を９０度遅延させた信号と前記第２のプローブの受信信号とを合成するとともに、前記第２のプローブの受信信号の位相を９０度遅延させた信号と前記第１のプローブの受信信号とを合成するハイブリッド回路と、
前記第２の導波管内に設けられ、前記第３および第４の円偏波信号を２つの直線偏波信号に変換する円偏波変換器と、
それらの先端部が前記第２の導波管内に突出され、前記２つの直線偏波信号を受信する第３および第４のプローブとを備える、２周波共用フィード。
【請求項２】
前記円偏波変換器はセプタムポーラライザである、請求項１に記載の２周波共用フィード。
【請求項３】
前記円偏波変換器は誘電体板である、請求項１に記載の２周波共用フィード。
【請求項４】
第１の周波数帯域の互いに直交する第１および第２の円偏波信号と、前記第１の周波数帯域よりも高周波側の第２の周波数帯域の互いに直交する第３および第４の円偏波信号とを受信する２周波共用フィードであって、
その一方側開口部が前記第１〜第４の円偏波信号を受ける第１の導波管と、
その一方側開口部が前記第１の導波管の他方側開口部に結合され、前記第１の導波管よりも細い第２の導波管と、
それらの先端部が前記第１の導波管内に突出され、前記第１および第２の円偏波信号の各々の互いに直交する２つの直線偏波成分を受信する第１および第２のプローブと、
前記第１のプローブの受信信号の位相を９０度遅延させた信号と前記第２のプローブの受信信号とを合成するとともに、前記第２のプローブの受信信号の位相を９０度遅延させた信号と前記第１のプローブの受信信号とを合成する第１のハイブリッド回路と、
それらの先端部が前記第２の導波管内に突出され、前記第３および第４の円偏波信号の各々の互いに直交する２つの直線偏波成分を受信する第３および第４のプローブと、
前記第３のプローブの受信信号の位相を９０度遅延させた信号と前記第４のプローブの受信信号とを合成するとともに、前記第４のプローブの受信信号の位相を９０度遅延させた信号と前記第３のプローブの受信信号とを合成する第２のハイブリッド回路とを備える、２周波共用フィード。
【請求項５】
前記第１および第２の導波管のうちの少なくとも一方の断面形状は円形である、請求項１から請求項４までのいずれかに記載の２周波共用フィード。
【請求項６】
前記第１および第２の導波管のうちの少なくとも一方の断面形状は正方形である、請求項１から請求項４までのいずれかに記載の２周波共用フィード。
【請求項７】
さらに、前記第１および第２の導波管の間に設けられ、前記第１の導波管よりも細く、前記第２の導波管よりも太く、前記第３および第４の円偏波信号の反射を抑制するステップ変換部を備える、請求項１から請求項６までのいずれかに記載の２周波共用フィード。
【請求項８】
請求項１から請求項７までのいずれかに記載の２周波共用フィードと、
前記２周波共用フィードによって受信された信号の周波数変換を行なう電気回路部とを備える、コンバータ。
【請求項９】
請求項８に記載のコンバータと、
衛星から送信された前記第１〜第４の円偏波信号を反射して前記第１の導波管の一方側開口部に与える反射鏡とを備える、アンテナ装置。
【発明の詳細な説明】
【技術分野】
【０００１】
この発明は２周波共用フィードと、それを用いたコンバータおよびアンテナ装置に関し、特に、２つの周波数帯の円偏波信号を受信する２周波共用フィードと、それを用いたコンバータおよびアンテナ装置に関する。
【背景技術】
【０００２】
衛星放送や衛星通信では、Ｃバンド（３．４〜４．２ＧＨｚ）や、Ｋｕバンド（１０．７〜１４．５ＧＨｚ）などが多く用いられている。今後は、通信の高速化やマルチメディア化に伴い、高速かつ広帯域の通信に適したＫａバンド（１７．７〜２１．２ＧＨｚ）が徐々に利用される方向にある。通常、これらの周波数帯域の信号の送信あるいは受信には、パラボラアンテナが用いられる。
【０００３】
また、電波の有効利用の１つとして、直交する２つの偏波を同時に利用する方法がある。２つの偏波とは、直線偏波であれば水平偏波と垂直偏波であり、円偏波であれば左旋円偏波と右旋円偏波である。水平偏波と垂直偏波または左旋円偏波と右旋円偏波とは、電界方向が互いに直交しているので、干渉しにくく、全く異なる信号として扱うことができる。したがって、限られた周波数帯域において電波を有効に利用することができる。
【０００４】
図８は、２つの周波数帯域の円偏波信号を受信する従来の２周波共用フィードの構成を示す図である。図８において、この２周波共用フィードは、２つの周波数帯域の円偏波信号を受けるホーン部５１と、低い周波数帯域用の導波管５２と、高い周波数帯域用の導波管５３と、導波管５２，５３を結合するステップ変換部５４とを備える。
【０００５】
導波管５２内には、低い周波数帯域の左旋円偏波信号および右旋円偏波信号を互いに直交する２つの直線偏波信号に変換する誘電体板５５と、２つの直線偏波信号のうちの一方の直線偏波信号を反射するための反射板５６と、反射板５６およびステップ変換部５４で反射された２つの直線偏波信号を受信するプローブ５７，５８とが設けられている。
【０００６】
また、導波管５３内には、高い周波数帯域の左旋円偏波信号および右旋円偏波信号を互いに直交する２つの直線偏波信号に変換する誘電体板５９と、２つの直線偏波信号を反射する反射板６０，６１と、反射板６０，６１で反射された２つの直線偏波信号を受信するプローブ６２，６３とが設けられている。
【０００７】
ホーン部５１に入射された信号のうちの低い周波数帯域の左旋円偏波信号および右旋円偏波信号は、導波管５２内を伝搬し、誘電体板５５によって２つの直線偏波信号に変換され、反射板５６およびステップ変換部５４で反射されてプローブ５７，５８によって受信される。
【０００８】
また、ホーン部５１に入射された信号のうちの高い周波数帯域の左旋円偏波信号および右旋円偏波信号は、導波管５２およびステップ変換部５４を通過して導波管５３内を伝搬し、誘電体板５９によって２つの直線偏波信号に変換され、反射板６０，６１で反射されてプローブ６１，６２によって受信される（たとえば特許文献１参照）。
【特許文献１】特開２００１−４４７０３号公報
【発明の開示】
【発明が解決しようとする課題】
【０００９】
しかし、従来の２周波共用フィードでは、高い周波数帯域の信号が導波管５２を通過する際、誘電体板５５の影響を受けるため、周波数帯域が狭くなるという問題があった。
【００１０】
すなわち、誘電体板５５は、低い周波数帯域の円偏波信号のうちの誘電体板５５と平行な直線偏波成分の位相を９０度遅延させることによって円偏波信号を直線偏波信号に変換する。しかし、誘電体板５５の周波数特性により、高い周波数帯域の円偏波信号のうちの誘電体板５５と平行な直線偏波成分の位相は９０度よりも大きく遅延し、高い周波数帯域の円偏波信号は誘電体板５５によって完全な直線偏波信号に変換されず、楕円偏波信号となる。
【００１１】
このため、誘電体板５９は、その楕円偏波信号を直線偏波信号に変換する必要がある。つまり高い周波数帯域の円偏波信号は、２つの誘電体板５５，５９によって直線偏波信号に変換される。この場合、直線偏波信号に変換可能な円偏波信号の周波数帯域が狭くなってしまう。
【００１２】
それゆえに、この発明の主たる目的は、広い周波数帯域の信号を受信することが可能な２周波共用フィードと、それを用いたコンバータおよびアンテナ装置を提供することである。
【課題を解決するための手段】
【００１３】
この発明に係る２周波共用フィードは、第１の周波数帯域の互いに直交する第１および第２の円偏波信号と、第１の周波数帯域よりも高周波側の第２の周波数帯域の互いに直交する第３および第４の円偏波信号とを受信する２周波共用フィードであって、その一方側開口部が第１〜第４の円偏波信号を受ける第１の導波管と、その一方側開口部が第１の導波管の他方側開口部に結合され、第１の導波管よりも細い第２の導波管と、それらの先端部が第１の導波管内に突出され、第１および第２の円偏波信号の各々の互いに直交する２つの直線偏波成分を受信する第１および第２のプローブと、第１のプローブの受信信号の位相を９０度遅延させた信号と第２のプローブの受信信号とを合成するとともに、第２のプローブの受信信号の位相を９０度遅延させた信号と第１のプローブの受信信号とを合成するハイブリッド回路と、第２の導波管内に設けられ、第３および第４の円偏波信号を２つの直線偏波信号に変換する円偏波変換器と、それらの先端部が第２の導波管内に突出され、２つの直線偏波信号を受信する第３および第４のプローブとを備えたものである。
【００１４】
好ましくは、円偏波変換器はセプタムポーラライザである。
また好ましくは、円偏波変換器は誘電体板である。
【００１５】
また、この発明に係る他の２周波共用フィードは、第１の周波数帯域の互いに直交する第１および第２の円偏波信号と、第１の周波数帯域よりも高周波側の第２の周波数帯域の互いに直交する第３および第４の円偏波信号とを受信する２周波共用フィードであって、その一方側開口部が第１〜第４の円偏波信号を受ける第１の導波管と、その一方側開口部が第１の導波管の他方側開口部に結合され、第１の導波管よりも細い第２の導波管と、それらの先端部が第１の導波管内に突出され、第１および第２の円偏波信号の各々の互いに直交する２つの直線偏波成分を受信する第１および第２のプローブと、第１のプローブの受信信号の位相を９０度遅延させた信号と第２のプローブの受信信号とを合成するとともに、第２のプローブの受信信号の位相を９０度遅延させた信号と第１のプローブの受信信号とを合成する第１のハイブリッド回路と、それらの先端部が第２の導波管内に突出され、第３および第４の円偏波信号の各々の互いに直交する２つの直線偏波成分を受信する第３および第４のプローブと、第３のプローブの受信信号の位相を９０度遅延させた信号と第４のプローブの受信信号とを合成するとともに、第４のプローブの受信信号の位相を９０度遅延させた信号と第３のプローブの受信信号とを合成する第２のハイブリッド回路とを備えたものである。
【００１６】
好ましくは、第１および第２の導波管のうちの少なくとも一方の断面形状は円形である。
【００１７】
また好ましくは、第１および第２の導波管のうちの少なくとも一方の断面形状は正方形である。
【００１８】
また好ましくは、さらに、第１および第２の導波管の間に設けられ、第１の導波管よりも細く、第２の導波管よりも太く、第３および第４の円偏波信号の反射を抑制するステップ変換部を備える。
【００１９】
また、この発明に係るコンバータは、上記２周波共用フィードと、２周波共用フィードによって受信された信号の周波数変換を行なう電気回路部とを備えたものである。
【００２０】
また、この発明に係るアンテナ装置は、上記コンバータと、衛星から送信された第１〜第４の円偏波信号を反射して第１の導波管の一方側開口部に与える反射鏡とを備えたものである。
【発明の効果】
【００２１】
この発明に係る２周波共用フィードでは、低い周波数帯域の各円偏波信号の２つの直線偏波成分を、低い周波数帯域用の第１の導波管内に突出した第１および第２のプローブで受信し、ハイブリッド回路により、第１のプローブの受信信号の位相を９０度遅延させた信号と第２のプローブの受信信号とを合成するとともに、第２のプローブの受信信号の位相を９０度遅延させた信号と第１のプローブの受信信号とを合成する。したがって、高い周波数帯域の円偏波信号の直線偏波成分が低い周波数帯域用の第１の導波管内で遅延されることがないので、広い周波数帯域の信号を受信することができる。
【発明を実施するための最良の形態】
【００２２】
図１は、この発明の一実施の形態によるパラボラアンテナの構成を示す概略図である。図１において、このパラボラアンテナは、放送衛星から送信された電波を受けて焦点に反射する反射鏡１と、反射鏡１の焦点に配置されたＬＮＢ（Low Noise Block Converter)２とを備える。電波は、低い周波数帯域の左旋偏波信号および右旋偏波信号と、高い周波数帯域の左旋偏波信号および右旋偏波信号とを含む。
【００２３】
ＬＮＢ２は、そのような２つの周波数帯域の円偏波信号を受信する２周波共用フィード３と、２周波共用フィード３によって受信された信号の増幅および周波数変換を行なう電気回路部４とを含む。電気回路部４は、同軸線を介してテレビ受信機に接続される。
【００２４】
図２は、２周波共用フィード３の構成を示す図である。図２において、この２周波共用フィード３は、反射鏡１で反射された２つの周波数帯域の円偏波信号を受けるホーン部１１と、低い周波数帯域用の導波管１２と、高い周波数帯域用の導波管１３とを備える。
【００２５】
導波管１２，１３の各々は円筒状に形成され、導波管１２の内径は導波管１３の内径よりも大きい。導波管１２の一方側開口部にホーン部１１が設けられ、導波管１２の他方側開口部と導波管１３の一方側開口部が結合され、導波管１３の他方端は反射板１４で閉蓋されている。ホーン部１１および導波管１２，１３の中心軸は、一直線上に配置されている。導波管１２は２つの周波数帯域の信号を伝搬させ、導波管１３は低い周波数帯域の信号を反射し、高い周波数帯域の信号を伝搬させる。
【００２６】
導波管１２には、導波管１２，１３の境界で反射された低い周波数帯域の左旋偏波信号および右旋偏波信号の各々の直線偏波成分を受信する２本のプローブ１５，１６が設けられている。低い周波数帯域の信号の波長をλＬとすると、プローブ１５，１６の先端部は、導波管１２，１３の境界からλＬ／４の位置で導波管１２内に突出している。プローブ１５，１６先端部は、互いに直交する方向に向けられている。プローブ１５，１６の基端部は、ハイブリッド回路１７に接続されている。
【００２７】
ハイブリッド回路１７は、図３に示すように、４本の線路Ｌ１〜Ｌ４を含む。線路Ｌ１〜Ｌ４の各々の長さは、λＬ／４に設定されている。線路Ｌ１はプローブ１５と出力端子Ｔ１との間に接続され、線路Ｌ２はプローブ１６と出力端子Ｔ２との間に接続され、線路Ｌ３はプローブ１５と出力端子Ｔ１，Ｔ２間に接続され、線路Ｌ４はプローブ１５，１６間に接続されている。出力端子Ｔ１，Ｔ２は、電気回路部４に接続されている。
【００２８】
円偏波信号は、位相が９０度ずれた２つの直交する直線偏波成分（水平偏波成分と垂直偏波成分）を含む。左旋円偏波信号では、一方の直線偏波成分の位相が他方の直線偏波成分の位相よりも９０度遅れている。右旋円偏波信号では、一方の直線偏波成分の位相が他方の直線偏波成分の位相よりも９０度進んでいる。
【００２９】
左旋円偏波信号の水平偏波成分および垂直偏波成分がそれぞれプローブ１５，１６で受信されたものとする。プローブ１５で受信された水平偏波成分は線路Ｌ１を介して出力端子Ｔ１に伝達され、さらに線路Ｌ３を介して出力端子Ｔ２に伝達される。プローブ１６で受信された垂直偏波成分は線路Ｌ２を介して出力端子Ｔ２に伝達され、さらに線路Ｌ３を介して出力端子Ｔ１に伝達される。
【００３０】
出力端子Ｔ１には、線路Ｌ１によって９０度遅延された水平偏波成分と、線路Ｌ２，Ｌ３によって１８０度遅延された垂直偏波成分とが出力される。左旋円偏波信号では水平偏波成分の位相が垂直偏波成分の位相よりも９０度遅れているので、出力端子Ｔ１では水平偏波成分と垂直偏波成分の位相が一致する。したがって、出力端子Ｔ１には、左旋円偏波信号の水平偏波成分と垂直偏波成分の位相を一致させて合成した信号が出力される。この信号は、図８のプローブ５７で受信された直線偏波信号に相当する。
【００３１】
一方、出力端子Ｔ２には、線路Ｌ１，Ｌ２によって１８０度遅延された水平偏波成分と、線路Ｌ２によって９０度遅延された垂直偏波成分とが出力される。左旋円偏波信号では水平偏波成分の位相が垂直偏波成分の位相よりも９０度遅れているので、出力端子Ｔ２では水平偏波成分と垂直偏波成分の位相が１８０度ずれる。したがって、出力端子Ｔ２では、左旋円偏波信号の水平偏波成分と垂直偏波成分が打消し合うので、出力端子Ｔ２には左旋円偏波信号に基づく信号は現れない。
【００３２】
また、右旋円偏波信号の水平偏波成分および垂直偏波成分がそれぞれプローブ１５，１６で受信されたものとする。プローブ１５で受信された水平偏波成分は線路Ｌ１を介して出力端子Ｔ１に伝達され、さらに線路Ｌ３を介して出力端子Ｔ２に伝達される。プローブ１６で受信された垂直偏波成分は線路Ｌ２を介して出力端子Ｔ２に伝達され、さらに線路Ｌ３を介して出力端子Ｔ１に伝達される。
【００３３】
出力端子Ｔ１には、線路Ｌ１によって９０度遅延された水平偏波成分と、線路Ｌ２，Ｌ３によって１８０度遅延された垂直偏波成分とが出力される。右旋円偏波信号では水平偏波成分の位相が垂直偏波成分の位相よりも９０度進んでいるので、出力端子Ｔ１では水平偏波成分と垂直偏波成分の位相が１８０度ずれる。したがって、出力端子Ｔ１では、右旋円偏波信号の水平偏波成分と垂直偏波成分が打消し合うので、出力端子Ｔ１には左旋円偏波信号に基づく信号は現れない。
【００３４】
一方、出力端子Ｔ２には、線路Ｌ１，Ｌ２によって１８０度遅延された水平偏波成分と、線路Ｌ２によって９０度遅延された垂直偏波成分とが出力される。右旋円偏波信号では水平偏波成分の位相が垂直偏波成分の位相よりも９０度進んでいるので、出力端子Ｔ２では水平偏波成分と垂直偏波成分の位相が一致する。したがって、出力端子Ｔ２には、右旋円偏波信号の水平偏波成分と垂直偏波成分の位相を一致させて合成した信号が出力される。この信号は、図８のプローブ５８で受信された直線偏波信号に相当する。
【００３５】
また、導波管１３の反射板１４側の端部は、セプタムポーラライザ１８によって左右の２つの半円筒導波管部に分割されている。セプタムポーラライザ１８は、導波管１３の内径の幅の四角形の板部材の一方端部を階段状に加工した形状を有し、その他方端部は反射板１４に接合されている。セプタムポーラライザ１８は、円偏波信号の２つの直線偏波成分のうちの一方の直線偏波成分の位相を９０度遅れさせることにより、円偏波信号を直線偏波信号に変換する。
【００３６】
高い周波数帯域の左旋円偏波信号は、セプタムポーラライザ１８によって直線偏波信号に変換され、セプタムポーラライザ１８の一方側の半円筒導波管部に伝搬する。また、高い周波数帯域の右旋円偏波信号は、セプタムポーラライザ１８によって直線偏波信号に変換され、セプタムポーラライザ１８の他方側の半円筒導波管部に伝搬する。
【００３７】
セプタムポーラライザ１８の両側の２つの半円筒導波管部には、それぞれ反射板１４で反射された２つの直線偏波信号を受信する２本のプローブ１９，２０が設けられている。高い周波数帯域の信号の波長をλＨとすると、プローブ１９，２０の先端部は、反射板１４の表面からλＨ／４の位置で導波管１３内に突出している。プローブ１９，２０の先端部は、対向している。
【００３８】
次に、このパラボラアンテナの動作について簡単に説明する。放送衛星から送信された電波は、反射鏡１で反射されて２周波共用フィード３のホーン部１１に入射される。電波に含まれる高い周波数帯域の左旋円偏波信号および右円偏波信号の各々の２つの直線偏波成分は、導波管１２，１３の境界で反射され、それぞれ導波管１２内のプローブ１５，１６で受信される。
【００３９】
プローブ１５，１６で受信された左旋円偏波信号は、ハイブリッド回路１７によって直線偏波信号に変換されて出力端子Ｔ１に出力される。プローブ１５，１６で受信された右旋円偏波信号は、ハイブリッド回路１７によって直線偏波信号に変換されて出力端子Ｔ２に出力される。
【００４０】
電波に含まれる高い周波数帯域の左旋円偏波信号および右円偏波信号は、導波管１２，１３の境界で反射されずに導波管１３内を伝搬し、セプタムポーラライザ１８によって２つの直線偏波信号に変換される。２つの直線偏波信号は、反射板１４で反射し、プローブ１９，２０で受信される。
【００４１】
出力端子Ｔ１，Ｔ２に現れる２つの直線偏波信号と、プローブ１９，２０で受信された２つの直線偏波信号は、電気回路部４で増幅および周波数変換され、テレビ受信機に与えられる。テレビ受信機は、電気回路部４からの信号をデコードして映像信号を生成し、生成した映像信号に基づいて映像を表示する。
【００４２】
この実施の形態では、低い周波数帯域の各円偏波信号の２つの直線偏波成分をプローブ１５，１６で受信し、ハイブリッド回路１７によって各円偏波信号を直線偏波信号に変換する。したがって、高い周波数帯域の円偏波信号の直線偏波成分が導波管１２内で遅延されることがないので、広い周波数帯域の信号を受信することができる。
【００４３】
以下、この実施の形態の種々の変更例について説明する。図４の変更例では、セプタムポーラライザ１８が誘電体板２１で置換される。プローブ１９，２０は、互いに直交する方向に配置される。誘電体板２１は、高い周波数帯域の円偏波信号のうちの誘電体板２１と平行な直線偏波成分の位相を９０度遅延させることによって円偏波信号を直線偏波信号に変換する。したがって、高い周波数帯域の左旋円偏波信号および右円偏波信号は、互いに直交する２つの直線偏波信号に変換される。２つの直線偏波信号は、反射板１４で反射されてプローブ１９，２０で受信される。この変更例でも、実施の形態と同じ効果が得られる。なお、円偏波信号を直線偏波信号に変換する機能を有する他の円偏波変換器で誘電体板２１を置換してもよい。
【００４４】
図５の変更例では、セプタムポーラライザ１８が除去されて、ハイブリッド回路２２が設けられる。プローブ１９，２０は、互いに直交する方向に配置される。ハイブリッド回路２２は、ハイブリッド回路１７と同じ構成である。ただし、線路Ｌ１〜Ｌ４の各々の長さは、λＨ／４に設定されている。高い周波数帯域の左旋円偏波信号および右円偏波信号は、反射板１４で反射されてプローブ１９，２０で受信され、ハイブリッド回路２２によって２つの直線偏波信号に変換される。この変更例でも、実施の形態と同じ効果が得られる。
【００４５】
図６の変更例では、円筒型の導波管１２が断面が正方形の方形導波管２３で置換される。この変更例でも、実施の形態と同じ効果が得られる。なお、導波管１２の代わりに導波管１３を方形導波管で置換してもよいし、導波管１２，１３の両方を方形導波管で置換してもよい。
【００４６】
図７の変更例では、導波管１２と１３の間にステップ変換部２４が設けられる。ステップ変換部２４の内径は、導波管１３の内径よりも大きく、導波管１２の内径よりも小さい。ステップ変換部２４は、２つの導波管１２，１３のインピーダンス整合をとり、導波管１２，１３の境界での信号の反射を減らそうとするものである。すなわち、２つの導波管１２，１３の内径が異なるため、高い周波数帯域の信号が通過する際、特性インピーダンス差が生じ、導波管１２，１３の段差の部分で反射が生じる。そこで２つの特性インピーダンスを整合させるために整合器としてステップ変換部２４を用いる。この整合器の働きにより、高い周波数帯域の信号は反射を起こすことなく通過する。この変更例でも、実施の形態と同じ効果が得られる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】この発明の一実施の形態によるパラボラアンテナの構成を示す図である。
【図２】図１に示した２周波共用フィードの構成を示す図である。
【図３】図２に示したハイブリッド回路の構成を示す図である。
【図４】実施の形態の変更例を示す図である。
【図５】実施の形態の他の変更例を示す図である。
【図６】実施の形態のさらに他の変更例を示す図である。
【図７】実施の形態のさらに他の変更例を示す図である。
【図８】従来の２周波共用フィードの構成を示す図である。
【符号の説明】
【００４９】
１  反射鏡、２  ＬＮＢ、３  ２周波共用フィード、４  電気回路部、１１  ホーン部、１２，１３，２３，５２，５３  導波管、１４，５６，６０，６１  反射板、１５，１６，１９，２０，５７，５８，６２，６３  プローブ、１７，２２  ハイブリッド回路、１８  セプタムポーラライザ、２１，５５，５９  誘電体板、２４，５４  ステップ変換部、Ｌ１〜Ｌ４  線路、Ｔ１，Ｔ２  出力端子。
【図１】
2010021864.tif 000003
【図２】
2010021864.tif 000004
【図３】
2010021864.tif 000005
【図４】
2010021864.tif 000006
【図５】
2010021864.tif 000007
【図６】
2010021864.tif 000008
【図７】
2010021864.tif 000009
【図８】
2010021864.tif 000010